(57)【要約】【課題】  蓋体が外しやすい、容器本体と中皿と蓋体とを備えた嵌合容器を提供する。  【解決手段】  容器側コーナー部３１０の外縁３１２に容器側嵌合部３５０を有する容器本体３００と、当該容器本体３００の上に載置される中皿２００と、蓋側コーナー部１１０の外縁１１１に蓋側嵌合部１５０を有する蓋体１００とを備え、前記中皿２００及び前記容器本体３００を覆うように、前記蓋体１００が前記容器本体３００に外嵌合する嵌合容器４００であって、前記中皿２００の中皿側コーナー部２１０には、前記容器本体３００の容器側コーナー部３１０の外縁３１２に向けて延出すると共に、前記容器側コーナー部３１０のフランジ部３４０に当接可能な当接部２６０が設けられ、前記蓋体１００の蓋体側コーナー部１１０には、当該当接部２６０を押圧可能な押圧部１６０が設けられていることを特徴とする。【選択図】図８
2020019508.tif 000002
【特許請求の範囲】
【請求項１】
容器側コーナー部の外縁に容器側嵌合部を有する容器本体と、当該容器本体の上に載置される中皿と、蓋側コーナー部の外縁に蓋側嵌合部を有する蓋体とを備え、
前記中皿及び前記容器本体を覆うように、前記蓋体が前記容器本体に外嵌合する嵌合容器であって、
前記中皿の中皿側コーナー部には、前記容器本体の容器側コーナー部の外縁に向けて延出すると共に、前記容器側コーナー部のフランジ部に当接可能な当接部が設けられ、
前記蓋体の蓋体側コーナー部には、当該当接部を押圧可能な押圧部が設けられていることを特徴とする嵌合容器。
【請求項２】
前記容器本体の側壁から前記容器側コーナー部のフランジ部に膨出する膨出リブが設けられていることを特徴とする請求項１に記載の嵌合容器。
【請求項３】
前記容器本体の容器側コーナー部のフランジ部には、前記中皿の当接部の下端側を収容可能な収容部を備えることを特徴とする請求項１又は２に記載の嵌合容器。
【発明の詳細な説明】
【技術分野】
【０００１】
本願発明は、容器本体と中皿と、中皿を覆うように取り付けられる蓋体とからなる嵌合容器に関する。
【背景技術】
【０００２】
従来から、食品等を収容した状態で、蓋体が容器本体に外嵌合する嵌合容器が知られており、例えば、特許文献１の嵌合容器は蓋体と容器本体とから構成されるもので、蓋体を外しやすいように、蓋体のフランジ部に凸部が形成されている。そして、この凸部を指で押しながら、蓋体のフランジ部の下面に他の指を掛けて引き上げることで、蓋体が容易に外れるのである。また、特許文献２の嵌合容器は蓋体と容器本体とから構成されるもので、蓋体を外しやすいように、蓋体のフランジ部に開放押圧部を備え、当該開放押圧部の先端側には指掛け部を、根元側には屈曲部をそれぞれ備えている。そして、開放押圧部を指で押さえながら、指掛け部に他の指を掛けて引き上げることで、開放押圧部が屈曲部を起点に簡単に開放され、蓋体を容易に外すことができるのである。
【０００３】
このように、蓋体と容器本体とから構成される、特許文献１や特許文献２の嵌合容器では、蓋体が外しやすい手段が備えられている。一方、特許文献３に示すような、容器本体と中皿と蓋体とからなる嵌合容器では、中皿を備えるという特殊な構造上、特許文献１や特許文献２の蓋体が外しやすい手段をそのまま採用することができなかった。そのため、蓋体が外しやすい手段を備えた、容器本体と中皿と蓋体とからなる嵌合容器の開発が望まれていた。
【先行技術文献】
【特許文献】
【０００４】
【特許文献１】実公平０４−２３７６８
【特許文献２】特許３０７６８１９
【特許文献２】特開２０１５−１４５２８５
【発明の概要】
【発明が解決しようとする課題】
【０００５】
そこで、本願発明は、上記問題に鑑み、蓋体が外しやすい、容器本体と中皿と蓋体とを備えた嵌合容器を提供する。
【課題を解決するための手段】
【０００６】
上記課題を解決するために、本願発明の請求項１に係る嵌合容器は、容器側コーナー部の外縁に容器側嵌合部を有する容器本体と、当該容器本体の上に載置される中皿と、蓋側コーナー部の外縁に蓋側嵌合部を有する蓋体とを備え、前記中皿及び前記容器本体を覆うように、前記蓋体が前記容器本体に外嵌合する嵌合容器であって、前記中皿の中皿側コーナー部には、前記容器本体の容器側コーナー部の外縁に向けて延出すると共に、前記容器側コーナー部のフランジ部に当接可能な当接部が設けられ、前記蓋体の蓋体側コーナー部には、当該当接部を押圧可能な押圧部が設けられていることを特徴とする。
【０００７】
上記特徴によれば、中皿の中皿側コーナー部に、容器側コーナー部の外縁に向けて延出する当接部を備えているので、蓋体を取り外す際に、蓋体の押圧部を介して当接部を押圧すれば、蓋側嵌合部が、容器側コーナー部の外縁に形成された容器側嵌合部から外れやすくなり、蓋体を簡単に取り外すことができるのである。
【０００８】
さらに、本願発明の請求項２に係る嵌合容器は、前記容器本体の側壁から前記容器側コーナー部のフランジ部に膨出する膨出リブが設けられていることを特徴とする。
【０００９】
上記特徴によれば、蓋体を取り外す際に膨出リブを押圧すれば、蓋側嵌合部が、フランジ部の外側に形成された容器側嵌合部から外れやすくなり、蓋体を簡単に取り外すことができるのである。
【００１０】
さらに、本願発明の請求項３に係る嵌合容器は、前記容器本体の容器側コーナー部のフランジ部には、前記中皿の当接部の下端側を収容可能な収容部を備えることを特徴とする。
【００１１】
上記特徴によれば、当接部の下端側は容器本体のフランジ部の収容部に収容されているので、当接部が下方へ押圧されても、当接部がフランジ部から外れる事が無く、容器側コーナー部のフランジ部を確実に下方へ弾性変形させることができる。
【発明の効果】
【００１２】
上述したように、本願発明の嵌合容器は、容器本体と中皿と蓋体とを備えていても、蓋体が外しやすい。
【図面の簡単な説明】
【００１３】
【図１】（ａ）は本願発明の嵌合容器の蓋体の平面図、（ｂ）はＡ―Ａ端面図、（ｃ）はＢ―Ｂ端面図、（ｄ）は図１（ａ）において点線で囲んだ部分の拡大平面図である。
【図２】（ａ）は本願発明の嵌合容器の蓋体の右側面図、（ｂ）は蓋体の正面図、（ｃ）は蓋体の底面図である。
【図３】（ａ）は本願発明の嵌合容器の中皿の平面図、（ｂ）はＣ―Ｃ端面図、（ｃ）はＤ―Ｄ端面図、（ｄ）は図３（ａ）において点線で囲んだ部分の拡大平面図である。
【図４】（ａ）は本願発明の嵌合容器の中皿の右側面図、（ｂ）は中皿の左側面図、（ｃ）は中皿の正面図、（ｄ）は中皿の背面図、（ｅ）は中皿の底面図である。
【図５】（ａ）は本願発明の嵌合容器の容器本体の平面図、（ｂ）はＥ―Ｅ端面図、（ｃ）はF―F端面図、（ｄ）は図５（ａ）において点線で囲んだ部分の拡大平面図である。
【図６】（ａ）は本願発明の嵌合容器の容器本体の右側面図、（ｂ）は容器本体の正面図、（ｃ）は容器本体の底面図である。
【図７】（ａ）は、本願発明の容器本体の上に中皿を載置した状態で、蓋体が閉じられた嵌合容器を示すもので、コーナー部周辺の縦端面図、（ｂ）は、図７（ａ）に示す状態において、容器本体の上に中皿が載置された様子を概念的に示すものであって、コーナー部周辺を拡大した平面図である。
【図８】（ａ）及び（ｂ）は、図７（ａ）に示す状態から蓋体を取り外す様子を示した端面図である。
【符号の説明】
【００１４】
１００        蓋体
１１０        蓋側コーナー部
１１１        外縁
１５０        蓋側嵌合部
１６０        押圧部
２００        中皿
２１０        中皿側コーナー
２６０        当接部
３００        容器本体
３１０        容器側コーナー部
３１２        外縁
３４０        フランジ部
３５０        容器側嵌合部
【発明を実施するための形態】
【００１５】
以下に、本願発明の実施形態について、図面を用いて説明する。なお、本明細書において、「上方」とは、嵌合容器の容器本体の開口面を上にして水平面上に載置した際に、鉛直方向における上方に向かう方向のことであり、「下方」とは鉛直方向における下方に向かう方向のことであり、「横」とは水平方向に向かう方向のことであり、「縦」とは、水平面において「横」に対して直角の方向のことである。
【００１６】
まず、図１及び図２には、本願発明の嵌合容器４００の蓋体１００を示す。なお、図１（ａ）は蓋体１００の平面図、図１（ｂ）はＡ―Ａ端面図、図１（ｃ）はＢ―Ｂ端面図、図１（ｄ）は図１（ａ）において点線で囲んだ部分の拡大平面図である。また、図２（ａ）は蓋体１００の右側面図、図２（ｂ）は蓋体１００の正面図、図２（ｃ）は蓋体１００の底面図である。なお、蓋体１００の左側面図は、図２（ａ）に示す蓋体１００の右側面図と同一に表れ、蓋体１００の背面図は、図２（ｂ）に示す蓋体１００の正面図と同一に表れるので省略する。
【００１７】
図１及び図２に示すように、蓋体１００は下方に開口した浅皿型で、四隅に蓋側コーナー部１１０を備えた平面視略四角形形状をしており、平坦な天板１２０と、当該天板１２０の縁部１２１から下方へ向けて連続する側壁１３０と、当該側壁１３０の下端から水平方向へ延びるフランジ部１４０とを備える。蓋側コーナー部１１０周辺のフランジ部１４０には、上方へ膨出する押圧部１６０が設けられており、この押圧部１６０の裏側には、後述する中皿の当接部が収容される。また、フランジ部１４０には、蓋体１００の辺部に沿って段状に膨出した膨出部１４２が設けられており、後述する中皿のスカート部を収容できるようになっている。さらに、フランジ部１４０の外側には、当該フランジ部１４０から下方へ向けて連続する凹状の蓋側嵌合部１５０が設けられている。そして、側壁１３０、フランジ部１４０、及び蓋側嵌合部１５０は蓋体１００の周方向へ全周にわたり連続または断続して設けられている。
【００１８】
また、図１（ｄ）に示すように、押圧部１６０は、蓋側コーナー部１１０の外縁１１１に向けて延出しており、上面側の平坦な押圧面１６１と、蓋側コーナー部１１０の外縁１１１に向けて互いに近接する側壁１６２を備えている。そして、押圧部１６０は、蓋側コーナー部１１０に向けて先端１６３が尖った平面視略三角形形状をしている。なお、押圧部１６０は、上方へ膨出する凸形状をしているが、これに限定されず、押圧部１６０は、後述する中皿の２００の当接部２６０と上下に重なり、指で押さえた際に当接部２６０を押圧可能であれば、任意の形状とすることができ、例えば押圧部１６０は下方へ窪む凹形状であってもよい。
【００１９】
次に、図３に本願発明の嵌合容器４００の中皿２００を示す。なお、図３（ａ）は中皿２００の平面図、図３（ｂ）はＣ―Ｃ端面図、図３（ｃ）はＤ―Ｄ端面図、図３（ｄ）は図３（ａ）において点線で囲んだ部分の拡大平面図である。また、図４（ａ）は中皿２００の右側面図、図４（ｂ）は中皿２００の左側面図、図４（ｃ）は中皿２００の正面図、図４（ｄ）は中皿２００の背面図、図４（ｅ）は中皿２００の底面図である。
【００２０】
図３及び図４に示すように、中皿２００は上方に開口した浅皿型で、四隅に中皿側コーナー部２１０を備えた平面視略四角形形状をしており、平坦な底壁２２０と、当該底壁２２０の縁部から上方へ立ち上がるように連続する側壁２３０と、食材等を個別に収容するための仕切壁２２１が設けられている。さらに、側壁２３０の上端から略水平方向へ延びるフランジ部２４０が設けられ、中皿側コーナー部２１０周辺のフランジ部２４０には、上方へ膨出する当接部２６０が設けられている。また、中皿側コーナー部２１０に隣接する辺部２１１では、フランジ部２４０から上方へ膨出した上端２４１から下方へ向けて延びるスカート部（延出部）２４２が形成されており、当該スカート部２４２は、後述する容器本体のズレ防止壁に当接する。そして、側壁２３０、及びフランジ部２４０は中皿２００の周方向へ全周にわたり連続または断続して設けられている。
【００２１】
また、図３（ｄ）に示すように、当接部２６０は、上端面２６１と、中皿側コーナー部２１０の先端に向けて互いに近接する側壁２６２を備えている。そして、中皿２００が容器本体３００の上に載置された際に、当接部２６０は容器本体３００の容器側コーナー部３１０の外縁３１２に向けて延出し、更に、当接部２６０は、先端２６３が容器側コーナー部３１０の外縁３１２に向けて尖った平面視略三角形の形状をしている。なお、当接部２６０は、上方へ膨出する凸形状をしているが、これに限定されず、当接部２６０は容器側コーナー部３１０の外縁３１２に向けて延出すると共に、容器側コーナー部３１０のフランジ部３４０に当接可能であれば、任意の形状とすることができる。
【００２２】
次に、図５及び図６には、本願発明の嵌合容器４００の容器本体３００を示す。なお、図５（ａ）は容器本体３００の平面図、図５（ｂ）はＥ―Ｅ端面図、図５（ｃ）はF―F端面図、図５（ｄ）は図５（ａ）において点線で囲んだ部分の拡大平面図である。また、図６（ａ）は容器本体３００の右側面図、図６（ｂ）は容器本体３００の正面図、図６（ｃ）は容器本体３００の底面図である。なお、容器本体３００の左側面図は、図６（ａ）に示す容器本体３００の右側面図と同一に表れ、容器本体３００の背面図は、図６（ｂ）に示す容器本体３００の正面図と同一に表れるので省略する。
【００２３】
図５及び図６に示すように、容器本体３００は上方に開口した浅皿型で、四隅に容器側コーナー部３１０を備えた平面視略四角形形状をしており、平坦な底壁３２０と、当該底壁３２０の縁部３２１から上方へ立ち上がるように連続する側壁３３０と、当該側壁３３０の上端から略水平方向へ延びるフランジ部３４０とを備える。容器側コーナー部３１０周辺のフランジ部３４０には、下方へ窪んだ収容部３７０が設けられており、この収容部３７０は中皿２００の当接部２６０の下端側を収容できるように構成されている。
【００２４】
また、容器側コーナー部３１０に隣接する辺部３１１では、フランジ部３４０から上方へ膨出するズレ防止壁３４１が形成されおり、当該ズレ防止壁３４１には中皿２００のスカート部２４２が覆い被さるように載置する。また、ズレ防止壁３４１の下端には溝部３４２が形成されており、スカート部２４２の下端が嵌まるようになっている。さらに、フランジ部３４０の外側には、当該フランジ部３４０から下方へ向けて連続する凸状の容器側嵌合部３５０が設けられている。そして、側壁３３０、フランジ部３４０、及び容器側嵌合部３５０は容器本体３００の周方向へ全周にわたり連続または断続して設けられている。
【００２５】
また、図５（ｄ）に示すように、内側に窪んだ収容部３７０は、当接部２６０の下端側を内側に載置して収容できるように、当接部２６０に対応した形状をしており、具体的には、容器側コーナー部３１０の外縁３１２に向けて先端３７１が尖った平面視略三角形をしている。
【００２６】
さらに、容器側コーナー部３１０には、容器側コーナー部３１０の外縁３１２に向けて直線状に膨出する膨出リブ３６０が形成されている。この膨出リブ３６０は、容器本体３００の外側に膨出した凸状のもので、外力に対して変形し難く、側壁３３０から容器側コーナー部３１０のフランジ部３４０にかけて傾斜するように膨出している。そして、膨出リブ３６０の両側には、側壁３３０とフランジ部３４０に跨がるように広がる面部３６１が設けられている。そのため、膨出リブ３６０は両側の面部３６１によって変形しないように更に補強されている。なお、膨出リブ３６０は外側に膨出した凸状のものであるが、これに限定されず、内側に膨出した凹状のもの、すなわち、膨出リブ３６０は溝状であってもよい。
【００２７】
なお、本実施形態に係る蓋体１００、中皿２００、及び容器本体３００は、厚さが約０．１ｍｍから１．００ｍｍ程度のシート状の素材を用いて、シート成形（例えば、真空成形、圧空成形、熱盤成形）されたものであり、例えば、蓋体１００や中皿２００の素材としては、ポリスチレン、ポリプロピレン、ポリスチレン、Ａ−ＰＥＴ、ポリ乳酸や、これらを二軸延伸させたものを、容器本体３００の素材としては、ポリスチレン、ポリプロピレン、ポリスチレン、Ａ−ＰＥＴ、ポリ乳酸や、これらを発泡させたものや、タルクを混ぜたものを用いることができる。また、蓋体１００、中皿２００、及び容器本体３００は、平面視略四角形であるが、この他にも平面視多角形など、適宜形状を変更することできる。
【００２８】
では次に、図７を参照して、本願発明の嵌合容器４００について説明する。この嵌合容器４００は、蓋体１００、中皿２００、及び容器本体３００の３つの部材から構成されている。そして、実際に使用する際は、容器本体３００内部に食品等を収容した状態で、容器本体３００の開口を覆うように中皿２００が載置され、さらにその上から、食品等が収容された中皿２００を覆うように蓋体１００が被せられ、蓋体１００の蓋側嵌合部１５０と容器本体３００の容器側嵌合部３５０とが外嵌合して、嵌合容器４００は密閉される。
【００２９】
なお、図７（ａ）は、容器本体３００の上に中皿２００を載置した状態で蓋体１００が閉じられた状態の嵌合容器４００を示すもので、コーナー部周辺の縦端面図である。また、図７（ｂ）は、図７（ａ）に示す状態において、容器本体３００の上に中皿２００が載置された様子を概念的に示すものであって、コーナー部周辺を拡大した平面図である。なお、図７（ｂ）では、蓋体１００を省略しており、容器本体３００を実線で、中皿２００を点線で示している。
【００３０】
図７に示すように、蓋体１００が閉じられた状態では、嵌合容器４００の外縁において、蓋体１００の蓋側嵌合部１５０が容器本体３００の容器側嵌合部３５０に外嵌合している。また、当接部２６０の底面側が、容器本体３００のフランジ部３４０上に載置されていると共に、収容部３７０内に収容された状態となっている。より具体的には、図７（ｂ）に示すように、当接部２６０の側壁２６２の下端は収容部３７０の内側に配置され、当接部２６０の先端２６３の下端は収容部３７０の先端３７１の内側に配置されているので、当接部２６０の底面側は、収容部３７０の窪んだ部分に囲まれるように安定して載置されている。
【００３１】
また、図７（ａ）に示すように、蓋体１００の押圧部１６０の押圧面１６１の裏面には、中皿２００の当接部２６０の上端面２６１が位置するように重なっている。さらに、図７（ｂ）に示すように、容器側コーナー部３１０に隣接する辺部３１１に沿ってズレ防止壁３４１が形成されており、中皿２００のスカート部２４２はズレ防止壁３４１上に被さるように載置されている。そのため、中皿２００は、容器本体３００上にズレないよう安定して載置されることになる。さらに、ズレ防止壁３４１に沿って形成された溝部３４２に、中皿２００のスカート部２４２の下端が嵌まり込んでいるので、中皿２００は容器本体３００上にズレないように更に安定して載置されることになる。また、ズレ防止壁３４１及び溝部３４２は、辺部３１１のみに設けられ、容器側コーナー部３１０周辺には設けられていない。そのため、後述するように、容器側コーナー部３１０のフランジ部３４０は下方へ変形し易いのである。
【００３２】
では次に、図８を参照して、本願発明の嵌合容器４００の蓋体１００を取り外す様子について説明する。なお、図８（ａ）及び（ｂ）は、図７（ａ）に示す状態から蓋体１００を取り外す様子を示した端面図である。
【００３３】
まず、図８（ａ）に示すように、嵌合容器４００の使用者は、親指等の指Ｆ１で蓋体１００の押圧部１６０を上から押圧する。すると、押圧部１６０の押圧面１６１の裏面に当接している当接部２６０が下方へ押圧され、更に、容器本体３００のフランジ部３４０も当接部２６０によって押圧されて下方へ弾性変形する。特に、この当接部２６０は容器側コーナー部３１０の外縁３１２に向けて延出しているので、当接部２６０が下方へ押圧されると、容器側コーナー部３１０の外側に形成されている容器側嵌合部３５０側も下方に向けて沈むように変形する。そのため、図８（ａ）に示すように、蓋側嵌合部１５０と容器側嵌合部３５０とが離れて嵌合が緩み、蓋側嵌合部１５０が容器側嵌合部３５０から外れ易い状態となる。そして、使用者が人差し指等の他の指Ｆ２で蓋側嵌合部１５０の下端を引っ掛けて、そのまま蓋体１００を簡単に取り外すことができるのである。
【００３４】
このように、本願発明の嵌合容器４００によれば、中皿２００の中皿側コーナー部２１０に、容器側コーナー部３１０の外縁３１２に向けて延出する当接部２６０を備えているので、蓋体１００を取り外す際に、蓋体１００の押圧部１６０を介して当接部２６０を押圧すれば、蓋側嵌合部１５０が、容器側コーナー部３１０の外縁３１２に形成された容器側嵌合部３５０から外れやすくなり、蓋体１００を簡単に取り外すことができるのである。
【００３５】
また、当接部２６０の下端側は容器本体３００のフランジ部３４０の収容部３７０に収容されているので、当接部２６０が下方へ押圧されても、当接部２６０がフランジ部３４０から外れる事が無く、容器側コーナー部３１０のフランジ部３４０を確実に下方へ弾性変形させることができる。
【００３６】
また、当接部２６０の先端２６３は容器側コーナー部３１０に向けて尖った形状をしているので、当接部２６０が押圧された際の応力は、当接部２６０の先端２６３側に集中することになる。そのため、容器側コーナー部３１０の先端側ほど、当接部２６０の先端２６３側によって、より強く押圧されることになり、容器側コーナー部３１０の外縁３１２に形成されている容器側嵌合部３５０も下方に向けて沈むように変形し易くなる。その結果、蓋側嵌合部１５０が容器側嵌合部３５０から更に外れ易い状態となるのである。
【００３７】
また、図８（ｂ）に示すように、嵌合容器４００の使用者は、親指等の指Ｆ１で蓋体１００の押圧部１６０を上から押圧した際に、人差し指等の他の指Ｆ２で容器本体３００の膨出リブ３６０を外側から押圧してもよい。膨出リブ３６０が容器本体３００の内側へ押圧されると、膨出リブ３６０は剛性が高く変形しにくいことから、膨出リブ３６０周辺の側壁３３０が内側へ窪むように弾性変形する。すると、側壁３３０が内側へ弾性変形したことで、側壁３３０の上端側に形成されたフランジ部３４０も下方へ向けて沈むように変形することになる。すると、図８（ｂ）に示すように、蓋側嵌合部１５０と容器側嵌合部３５０とがより大きく離れて嵌合が緩み、蓋側嵌合部１５０が容器側嵌合部３５０から外れた状態となる。そして、他の指Ｆ２で蓋側嵌合部１５０の下端を引っ掛けて、そのまま蓋体１００を簡単に取り外すことができるのである。
【００３８】
このように、本願発明の嵌合容器４００によれば、容器本体３００の側壁３３０から容器側コーナー部３１０のフランジ部３４０にかけて膨出する膨出リブ３６０を備えているので、蓋体１００を取り外す際に、膨出リブ３６０を押圧すれば、蓋側嵌合部１５０が、フランジ部３４０の外側に形成された容器側嵌合部３５０から外れやすくなり、蓋体１００を簡単に取り外すことができるのである。
【００３９】
なお、図５及び図６に示すように、膨出リブ３６０は、容器本体３００の側壁３３０の中腹あたり、言い換えると、容器本体３００の側壁３３０において、容器本体３００の底壁３２０から離れた位置から、フランジ部３４０へ向けて膨出している。そのため、図８（ｂ）に示すように、膨出リブ３６０が押圧された際に、膨出リブ３６０周辺（特に、下端側の周辺）の側壁３３０が、内側へ窪むように弾性変形し易くなるのである。
【００４０】
なお、本願発明の容器は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020019508.tif 000003
【図２】
2020019508.tif 000004
【図３】
2020019508.tif 000005
【図４】
2020019508.tif 000006
【図５】
2020019508.tif 000007
【図６】
2020019508.tif 000008
【図７】
2020019508.tif 000009
【図８】
2020019508.tif 000010